(57)【要約】【課題】  撮影画像群の中から検査に適した画像を識別可能に表示し、該画像を任意に選択することができる。【解決手段】  既撮影画像を４０１、４０２を表示し、表示されている既撮影画像から任意の画像を選択して、再撮影を実行する。再撮影された画像は、再撮影画像と４０３して表示され、機撮影画像４０１、４０２と再撮影画像４０３とを異なる表示形態で表示することにより画像の識別を容易とする。【選択図】  図４
2006130340.tif 000002
【特許請求の範囲】
【請求項１】
画像を撮影する撮影手段と、
前記撮影手段により撮影された既撮影画像を出力する出力手段と、
前記出力手段に出力された既撮影画像の中から画像を選択する選択手段と、
画像の再撮影を指示する再撮影指示手段と、
前記選択手段より選択された既撮影画像と前記再撮影指示手段の指示により再撮影が行われた再撮影画像とを識別可能に出力するよう制御する出力制御手段と
を有することを特徴とする画像処理装置。
【請求項２】
前記再撮影指示手段の指示に応じて画像の再撮影を行なう再撮影手段を更に有することを特徴とする請求項１に記載の画像処理装置。
【請求項３】
前記再撮影画像に、前記選択手段により選択された既撮影画像と同じ属性情報を付加する付加手段を更に有することを特徴とする請求項１に記載の画像処理装置。
【請求項４】
前記出力制御手段は、前記選択手段により画像が選択された場合、前記選択手段により選択された既撮影画像に識別情報を付加し、識別情報が付加されている既撮影画像が選択された場合、該既撮影画像に付加されている識別情報を削除し、再撮影画像に識別情報を付加して出力するよう制御することを特徴とする請求項１に記載の画像処理装置。
【請求項５】
撮影画像を外部転送する際には、前記識別情報が付加されていない画像を外部転送することを特徴とする請求項１乃至４の何れか１項に記載の画像処理装置。
【請求項６】
画像撮影装置の各部を制御手段が制御する画像処理方法であって、
撮影手段により撮影された既撮影画像を出力する出力工程と、
前記出力工程により出力された既撮影画像の中から画像を選択する選択工程と、
前記撮影手段に画像の再撮影を指示する再撮影指示工程と、
前記選択工程より選択された既撮影画像と前記再撮影指示工程の指示に基づき前記撮影手段により再撮影が行われた再撮影画像とを識別可能に出力するよう制御する出力制御工程と
を有することを特徴とする画像処理方法。
【請求項７】
前記再撮影画像に、前記選択工程により選択された既撮影画像と同じ属性情報を付加する付加工程を更に有することを特徴とする請求項６に記載の画像処理方法。
【請求項８】
前記出力制御工程において、前記選択工程により画像が選択された場合、選択された既撮影画像に識別情報を付加し、識別情報が付加されている既撮影画像が選択された場合、該既撮影画像に付加されている識別情報を消去し、再撮影画像にに識別情報を付加して出力するよう制御することを特徴とする請求項６に記載の画像処理方法。
【請求項９】
撮影画像を外部転送する際には、前記識別情報が付加されていない画像を外部転送することを特徴とする請求項６乃至８の何れか１項に記載の画像処理方法。
【請求項１０】
画像撮影装置の各部を制御手段が制御する画像処理方法を実現するためのプログラムコードを記憶した記憶媒体であって、
撮影手段により撮影された既撮影画像を出力する出力工程のプログラムコードと、
前記出力工程により出力された既撮影画像の中から画像を選択する選択工程のプログラムコードと、
前記撮影手段に画像の再撮影を指示する再撮影指示工程のプログラムコードと、
前記選択工程より選択された既撮影画像と前記再撮影指示工程の指示に基づき前記撮影手段により再撮影が行われた再撮影画像とを識別可能に出力するよう制御する出力制御工程のプログラムコードと
を有することを特徴とする記憶媒体。
【発明の詳細な説明】
【技術分野】
【０００１】
本発明は、画像の撮影が可能な画像処理装置およびその方法に関する。
【背景技術】
【０００２】
従来、医用分野で画像診断というと、Ｘ線撮影されたフィルム画像をシャーカステンに掛けて、観察することを指していた。
【０００３】
しかし、通常のＸ線フィルムは、診断部位の観察のしやすさを追及するあまり、観察しやすい濃度域１．０〜１．５Ｄ程度のコントラストをたてるように設定しており、撮影条件が多少ずれると、すぐ露光オーバになったり、露光アンダになったりして、読影による診断に悪影響を及ぼす。
【０００４】
特に分割撮影時においては、フイルム上の各分割部の診断部位ごとに被写体コントラストや診断目的が異なるので、撮影したい画像を得るために様々な努力を重ねている。
【０００５】
一方、近年のコンピュータの発展に伴い、医用分野においてもコンピュータ化が浸透してきた。画像診断の分野においてもこの流れが急であり、各種ＣＴや超音波診断機器、ラジオアイソトープを用いた診断機器などの普及には目をみはるものがある。そして、各種診断機器をコンピュータで接続し、各種モダリティ画像を総合的に診断しようとする「総合画像診断」という概念が発生してきた。
【０００６】
しかし、Ｘ線フィルム画像は、本質的にアナログ画像であり、画像診断の中で最も使用頻度が多く、かつ、重要視されているにもかかわらず、総合画像診断にうまくとけこめず、画像診断分野のコンピュータ化の障害になっていた。
【０００７】
ところが、近年、固体撮像素子等を用いたＸ線撮影が開発されてきており、Ｘ線画像においてもコンピュータを用いたＸ線画像デジタル画像読取装置を用いた撮影が徐々に始まってきている。この撮影においては、画像は撮影した直後に確認できることが特徴としてあげられている。
【発明の開示】
【発明が解決しようとする課題】
【０００８】
Ｘ線画像デジタル画像読取撮影においては、撮影画像に被検者の移動などによるぶれの有無について撮影直後に直ちに分かる為、従来のアナログ撮影ではあまり行われなかった再撮影が頻繁に行われる。この際、何度再撮影を行っても、最終的に装置外部へ出力される画像は、撮影された画像の中から任意に選択した撮影画像である必要がある。
【０００９】
また、最後に撮影された画像が、最終的な判断としてもっとも適した画像であるとは限らず、再撮影をおこなってはみたものの、結局再撮影する前の画像が良いというケースもあり、このような要求を解決することが課題としてある。
【課題を解決するための手段】
【００１０】
上記課題を解決するために、本発明の画像処理装置は、画像を撮影する撮影手段と、前記撮影手段により撮影された既撮影画像を出力する出力手段と、前記出力手段に出力された既撮影画像の中から画像を選択する選択手段と、画像の再撮影を指示する再撮影指示手段と、前記選択手段より選択された既撮影画像と前記再撮影指示手段の指示により再撮影が行われた再撮影画像とを識別可能に出力するよう制御する出力制御手段とを有する。
【００１１】
上記課題を解決するために、本発明の画像処理方法は、画像撮影装置の各部を制御手段が制御する画像処理方法であって、撮影手段により撮影された既撮影画像を出力する出力工程と、前記出力工程により出力された既撮影画像の中から画像を選択する選択工程と、前記撮影手段に画像の再撮影を指示する再撮影指示工程と、前記選択工程より選択された既撮影画像と前記再撮影指示工程の指示に基づき前記撮影手段により再撮影が行われた再撮影画像とを識別可能に出力するよう制御する出力制御工程とを有する。
【００１２】
上記課題を解決するために、本発明の記憶媒体は、画像撮影装置の各部を制御手段が制御する画像処理方法を実現するためのプログラムコードを記憶した記憶媒体であって、撮影手段により撮影された既撮影画像を出力する出力工程のプログラムコードと、前記出力工程により出力された既撮影画像の中から画像を選択する選択工程のプログラムコードと、前記撮影手段に画像の再撮影を指示する再撮影指示工程のプログラムコードと、前記選択工程より選択された既撮影画像と前記再撮影指示工程の指示に基づき前記撮影手段により再撮影が行われた再撮影画像とを識別可能に出力するよう制御する出力制御工程のプログラムコードとを有する。
【発明の効果】
【００１３】
本発明によれば、撮影された画像群の中から検査に適した画像を取捨選択する際に、選択されている画像を容易に識別することができる。
【発明を実施するための最良の形態】
【００１４】
本実施形態ではＸ線画像撮影装置について説明する。
【００１５】
図１は、Ｘ線画像収集装置の構成を示すブロック図である。
【００１６】
まず、Ｘ線画像収集装置１はオーダリング情報を外部ネットワーク３より受信する。本実施形態では２つのモードが有り、オーダリング情報を受信したと同時に撮影開始作業に自動で入るモードと、受信したオーダリング情報をユーザインターフェースを介して撮影開始作業に入るモードが有る。いずれのモードも、図２以降で示すのでここでは詳細な説明を割愛する。
【００１７】
まず、操作者は、撮影する被写体を固体撮像素子６とＸ線管球９の間に配置する。次に、撮影する部位設定ボタンは、オーダリング情報に従って選択された状態となる。引き続きシステムは自動的に固体撮像素子駆動制御信号を用いて、固体撮像素子に電圧を加え、固体撮像素子に画像入力が行なえるように準備する。
【００１８】
また、グリッド動作スピードパラメタを調整する。曝射ボタン４は、Ｘ線を発生させるトリガとなる。この曝射ボタン４より発生する曝射信号ａは、画像収集装置１内の画像読取制御部２０へ入力される。画像読取制御部２０では、固体撮像素子６がＸ線を受けると画像化出来る状態となっているかを駆動通知信号の状態で確認した後、曝射許可信号を発生する。曝射許可信号は、曝射許可スイッチ１０をオンにして、曝射信号ａを、曝射信号ｂに導通させる。曝射信号は、曝射ボタンのセカンドスイッチと呼ばれるスイッチを用いることとする。曝射信号ｂは、Ｘ線発生装置制御部５へ渡される。
【００１９】
Ｘ線発生装置制御部５では、同時にグリッド８が動作を始めて、最適なスピードになるなど、Ｘ線曝射の準備が整い次第、曝射信号ｃを発生してＸ線管球９よりＸ線を発生する。一方、固体撮像素子６は、曝射を受けた後、Ｘ線の透過線がグリッド８、およびシンチレータ７を介して、固体撮像素子６に画像として入力される。この画像を読み出してＡ／Ｄ変換機１０によりデジタル化して、画像読取制御部２０に転送する。
【００２０】
画像読取制御部２０は、ＣＰＵ１７により管理されている。ＣＰＵ１７は、この他に、ＲＡＭ１３、ＲＯＭ１４、ＬＡＮ／ＩＦ１５、ＤＩＳＫ／ＩＦ１６、コントロールパネル、不揮発性記憶装置１９、ユーザＩＦ部１８とバス２１上で繋がれている。不揮発性記憶装置１９としては、本実施形態では、ハードディスクを用いている。また、ユーザＩＦ部１８は、ディスプレイ１１及びキーボードとマウス１２を持ち、ユーザとのインターフェースを行っている。もちろん、タッチパネル方式を採用可能なことは言うまでもない。画像読取制御部２０に来た画像は一度ＲＡＭ１３上に配置され、ＣＰＵにより後段にて説明する様々な処理を行っていく。
【００２１】
図２は、Ｘ線画像収集装置の機能構成図である。
【００２２】
オーダリング装置３３よりオーダ情報をオーダ受信部３１にて受信する。オーダが受信されると、撮影開始指示部３０へオーダが到来したことを伝える。本実施形態では撮影開始指示部３０には、２つのモードが有り、受信されたと同時に撮影開始作業に自動で入るモードと、受信したオーダリング情報をユーザインターフェースを介して撮影開始作業に入るモードとを有する。特に後者のモードでは、ユーザインターフェース部１８を用いると、受信したオーダ一覧が表示されて、一覧よりオーダが選べるという利点が有る。なお、この場合は、オーダ情報の受信に先立って、オーダリング装置３３へオーダ一覧を送信してもらう送信依頼を行うことになる。
【００２３】
いずれのケースにせよ、撮影開始作業に入ると、まず、オーダ受信部３１でオーダが解釈されて、オーダ受信部３１よりオーダされている被検者の名前、生年月日等の個人情報が、撮影開始指示の指示とともにユーザインターフェース部１８へ送られる。ユーザインターフェース部１８では被検者の名前が表示されるので、被検者の確認に利用可能である。
【００２４】
次に、同時にオーダされている一番目の部位の部位情報がオーダ受信部３１より撮影開始指示の指示とともに部位ボタン選択部２９へと送られる。その結果、部位ボタン選択部２９は、ユーザインターフェース部１８に対して、該当する部位ボタンを選択状態にする。また、ユーザインターフェース部１８は、オーダされた撮影情報に従って撮影条件をユーザインターフェース部１８に表示する。なお、引き続く説明で明確にはなるが、オーダされている一番目の部位の撮影が終了次第、再びこの設定から二番目の部位の部位情報に従って撮影処理が開始される。
【００２５】
次に、撮影条件がオーダ受信部３１より撮影開始指示の指示とともに撮影条件設定部２６へと送られる。撮影条件設定部２６では、Ｘ線発生装置５へオーダされた撮影条件にしたがって管球設定を行うもので、具体的には管電圧設定や焦点サイズ等が挙げられる。
【００２６】
次に、撮影条件がオーダ受信部３１より撮影開始指示の指示とともに駆動指示部２７へと送られる。駆動指示部２７では、固体撮像素子６に電圧を加えて、固体撮像素子６を駆動状態とする。駆動状態とは、撮影状態ではなく、固体撮像素子６の寿命を抑える為に、通常は画像を収集する為に必要な電圧を加えていない状態に対する状態である。駆動状態は、撮影が行われなければ１分でタイムアウトして、非駆動状態となる。
【００２７】
次に、撮影条件がオーダ受信部３１より撮影開始指示の指示とともにグリッド動作設定部２８へと送られる。グリッド動作設定部２８では、撮影部位の情報などに依存して予め設定されたグリッドスピードパラメータを決定する。例えば、撮影部位で曝射時間の長いものはグリッドスピードを落し、曝射時間の短いものはグリッドスピードを上げる為の設定をする。
【００２８】
次に、撮影条件がオーダ受信部３１より撮影開始指示の指示とともに撮影条件記憶部２５へと送られる。ここでは、撮影をした情報の履歴管理を行う為、システムのＲＡＭ及びハードディスクに記憶を行う。
【００２９】
次に、Ｘ線発生装置５側にて管球の設定変更が有った場合について述べる。
【００３０】
例えば管電圧設定や焦点サイズ等は技師が臨機応変に被検者の健康状態等によりオーダされた撮影条件とはことなる設定をＸ線発生装置５にて行うことが本実施形態では可能である。この場合、Ｘ線画像収集装置１においては、撮影条件変更受信部２２より撮影条件の変更を受け付ける。この場合、駆動指示部、及びグリッド動作設定部２８、撮影条件記憶部２５においては撮影条件が再設定されたので、上記述べた挙動を再び行う。またユーザインターフェース部１８に変更された撮影条件を表示する。
【００３１】
さて、曝射ボタン４が押されるとＸ線管球９により曝射が行われる。この際のデータの流れは図１にて示しているので省略するが、実際はＸ線画像収集装置１まで信号が来て、グリッド動作や固体撮像素子６へ動作信号を発生させる。
【００３２】
曝射ボタン４を操作者が押すと、Ｘ線が発生して撮影が実施される。その後、撮影実施条件がＸ線発生装置５より発生する。この情報としては、撮影時間やｍＡｓ値等である。この撮影実施条件は、撮影実施条件受信部２３より受信されて、撮影実施条件記憶部２４に送られる。撮影をした情報の履歴管理を行う為、システムのＲＡＭ及びハードディスクに記憶を行う。
【００３３】
撮影が完了すると、次の撮影に入り、上述で説明した処理を繰り返す。
【００３４】
単数もしくは複数の撮影からなる検査が終了すると、撮影条件記憶部２５及び撮影実施条件記憶部２４の情報はオーダ返信部３２へと伝えられる。オーダ返信部３２は、オーダリング装置３３と予め決められた通信プロトコルにのっとり、本検査の撮影が終了したことを伝える。この際、撮影が行われた撮影条件と撮影実施条件を伝える。
【００３５】
なお、本実施形態の特徴の１つとして、固体撮像素子６を駆動状態とする為にＸ線発生装置５がある点である。この為、万一、１分でタイムアウトして非駆動状態となっても、Ｘ線発生装置５からのパラメタ変更指示で駆動状態になる。従って、Ｘ線発生装置５からは、変更前と変更後が同じパラメタであっても、変更指示が行われる。この機能により、操作者はＸ線画像収集装置１の画面を全く見ることをしなかったとしても撮影が可能となる。
【００３６】
図３は、本発明の実施形態におけるディスプレイ部１１の表示例を示す図である。
【００３７】
操作者は、撮影を行う際に、撮影開始ボタン３０２を押すと、オーダリング装置３３へオーダ一覧を送信してもらう送信依頼を行う。そして、受信したオーダ一覧が表示されて、一覧よりオーダが選べる状態となる。また、オーダ一覧送信依頼をしない場合で、オーダリング装置３３よりＸ線画像収集装置１へオーダが送られてきた場合は、受信したオーダリング情報に従って撮影開始作業に入る。
【００３８】
撮影作業に入ると３１０に示す様に、初めの撮影部位である「胸部ＰＡ」ボタンが選択状態となる。またその際の撮影条件は管電圧として１２５ｋＶが示されている。この値は、Ｘ線発生装置５において変更することが出来、その場合は、この値が、Ｘ線発生装置での変更に従ってリアルタイムに変更される。その後撮影を行って、撮影実施条件としては３０ｍＡｓの値をユーザインターフェース上に示している。撮影がすべて終了すれば、検査終了ボタン３１１を押すか、タイムアウト処理により自動的に検査が完了する。検査が完了すれば、既に説明を行ったように、オーダリング装置３３へは撮影情報、撮影実施情報の返信作業を行う。また、収集した画像はネットワークを介して外部転送される。
【００３９】
さて、以上のようにオーダリング情報に従って画像を収集する方法を示したが、検査の目的は、予め指定された条件で指定された部位を順次撮影していくものである。しかしながら、撮影は一度で成功しない場合が有る。その多くの例は患者のぶれである。患者が動くことで画像にぶれが発生して、診断上問題がある画像が生じることがある。
【００４０】
しかしながら、再撮影が行われても、オーダリング装置３３からのオーダは、再撮影が行われる前の既収集画像と再撮影画像の全てが必要ではなく、その条件でその部位を写した画像が１枚だけ必要な場合が多い。本発明は、この要求を解決するものである。
【００４１】
図４は、再撮影後のディスプレイ部１１の状態を示す図である。
【００４２】
まず、頭部画像を撮影する際に、画像にぶれが生じて再撮影が必要になると、再撮影ボタン３０６を押す。すると同じ条件で再び撮影レディ状態となる。この時、撮影条件は同じ条件を使うことが通常であるが、患者体格などによって、この条件では正しく撮影できないと技師が判断した時は、撮影条件も変更することが可能である。
【００４３】
その後、そこで曝射ボタン４を押して画像の再撮影が行われると、再撮影画像が図のように表示される。また、再撮影が行われた為に、既収集画像となった画像は、デフォルトでは再撮影画像にとって代わることなっており、それを示す為バツマークを設定する。図４の場合は、再撮影を２度行った例である。
【００４４】
操作者は、再撮影を何回か行うケースが有るが、オーダされた画像として外部へ転送する画像は必ずしも最後に取った画像とは限らない。そこで、図の既収集画像１をマウスで選択すると、この画像が代表画像となり、バツマークがとれる。そして、最後の再撮影画像にバツマークが付く。即ち、選択された画像のみがこのオーダとしての結果画像となるようにして、その他の画像は失敗画像とみなす。
【００４５】
また、撮影された画像は再撮影が行われても全て図１に示した不揮発性記憶装置に内部保存を行い、将来、オーダとしての結果画像以外の画像が必要になった時であっても呼び起こして転送することが可能となる。
【００４６】
図５は、Ｘ線画像収集装置の再撮影処理に関連する機能構成図である。
【００４７】
再撮影ボタン３０６を押すことで、操作者が再撮影を行おうとすると、ユーザ入出力部５１へ通知され、再撮影指示部５２が撮影を制御する撮影・システム制御部５６へと通知する。撮影・システム制御部５６は撮影準備を行い、操作者が（この図には示されていない）曝射ボタン４を押した時に撮影が行われる。
【００４８】
その後、撮影された画像は、画像追加部５４を経由して表示部５３へ渡される。表示部５３は、ユーザ入出力部５１を通じて画像をディスプレイ上に表示する（画像追加とは、オーバビューのリスト上に画像を追加することの意味から来ている）。
【００４９】
さて、ユーザ入出力部５１にて、再撮影が行われた画像群の中から代表画像を再選択すると、収集画像再選択部５５へと通知され、表示部５３および撮影・システム制御部５６へと通知される。表示部５３は、バツマークの取り外し、書き込みを行い、また撮影・システム制御部５６では、代表画像がどの画像であるかの状態を維持する。そして、検査が終了の際には、代表画像のみをネットワーク転送する。
【００５０】
次に、画像の再撮影処理について図１１から図１３のフローチャートを用いて詳細に説明する。
【００５１】
図１１は、部位設定ボタン３０９操作による再撮影処理のフローチャートである。
【００５２】
ステップＳ１１０１では、部位設定ボタン３０９が押されたか否か判断され、押されたと判断された場合、ステップＳ１１０２の処理に進む。ステップＳ１１０２では、既に撮影された画像、即ち既収集画像に同じユニークＩＤを持つ画像があるか否か判断され、あると判断された場合、ステップＳ１１０３の処理に進む。ないと判断された場合にはステップＳ１１０７の処理に進む。上記のユニークＩＤとは、患者名、撮影部位、撮影方向、撮影条件等の撮影に関する情報を特定するための情報である。
【００５３】
ステップＳ１１０３では、撮影実行待ち状態となり、撮影されるとステップＳ１１０４の次の処理に進む。ステップＳ１０７でも、撮影実行待ち状態となり、撮影されるとステップＳ１１０５の次の処理に進む。
【００５４】
ステップＳ１１０４では、既収集画像で同じユニークＩＤを持つ全画像に×印をつける。この状態が、図４に示されるように、既収集画像１及び既収集画像２に×印が付けられている状態である。次にステップＳ１１０５で、今回撮影された画像、即ち、図４の再撮影画像４０３に既収集画像１及び既収集画像２と同じユニークＩＤが設定される。そして、次に、ステップＳ１１０６では、図４に示すように再撮影画像をオーバービュー３０５に表示して、再撮影処理が終了する。
【００５５】
次に、図１２を用いて、再撮影指示が行なわれた場合の再撮影処理について説明する。
【００５６】
図１２は、再撮影ボタン３０６等により再撮影指示が行なわれた場合に処理が始まる。ステップＳ１２０１では、再撮影の対象となる再撮影対象画像待ちの状態となり、再撮影対象画像がディスプレイ部１１上に表示された場合、ステップＳ１２０２の処理に進む。ステップＳ１２０２では、ステップＳ１２０１で表示された再撮影対象画像の中から再撮影対象画像の指示が行なわれたか否か判断し、行われた場合、次のステップＳ１２０３の処理に進む。ステップＳ１２０３では、指示された再撮影対象画像、即ち、既収集画像に×印をつける。この状態が図４に示されている。
【００５７】
次に、ステップＳ１２０４では、再撮影実行待ち状態となる。撮影されるとステップＳ１２０５の処理に進む。ステップＳ１２０５では、既収集画像と再撮影画像に同じユニークＩＤを設定する。ユニークＩＤについては、図１１で説明したものと同じものを使用するので詳細な説明は省略する。次に、ステップＳ１２０６では、図４に示すように再撮影画像をオーバービュー３０５に表示して、再撮影処理が終了する。
【００５８】
図１３は、オーバービュー画像の選択処理に関するフローチャートである。
【００５９】
特に、図１３の処理は、図１１及び図１２により再撮影処理が行なわれた後に行なわれる処理である。詳細について以下に説明する。
【００６０】
ステップＳ１３０１では、図４に示されるようなオーバービュー画像３０５のいずれかが選択されたか否か判断される。オーバービュー画像が選択された場合、ステップＳ１３０２の処理に進む。ステップＳ１３０２では、選択されたオーバービュー画像に×印があるか否か判断され、ある場合、ステップＳ１３０３に処理が進む。無いと判断された場合、処理がステップＳ１３０５に進む。
【００６１】
ステップＳ１３０３では、選択されたオーバービュー画像の×印を外して表示する。ステップＳ１３０４では、ステップＳ１３０３で×印を外したオーバービュー画像と同じユニークＩＤを持つ画像を検索し、同じＩＤを持つオーバービュー画像に×印をつける。この様に処理することで、同じＩＤを持つオーバービュー画像の中から×印のついていない画像１つだけを選択し、選択した１つの画像だけを外部に転送することが可能となる。また、本実施形態では、選択する画像を１つに限ったが、複数の画像を選択して外部に転送できる様にしてもよいことは言うまでも無い。
【００６２】
ステップＳ１３０２で、選択されたオーバーニュー画像に×印が無いと判断された場合、ステップＳ１３０５に処理が進み、ステップＳ１３０５では、選択されたオーバービュー画像に×印をつける処理を行なう。
【００６３】
以上、図１３のフローチャートで説明した様に、再撮影された画像群の中から検査に適した画像を取捨選択して外部に転送することができ、再撮影が比較的気軽に行うことができる。例えば、再撮影した後に、既に撮影した画像の方が、再撮影した画像より良かったという場合にも柔軟に対応することができる。
【００６４】
さて、収集された画像であるが、一般にＤＩＣＯＭと呼ばれる通信プロトコルが標準化されていて、撮影した画像を複数セットにした単位をシリーズとして扱い、該シリーズを複数セットにした単位をスタディとして扱い、該スタディを単位として順次撮影を行うことで撮影画像を管理している。
【００６５】
図６は、スタディＩＤ６１、シリーズ番号６２、画像番号６３の各属性を示す図である。
【００６６】
このプロトコルはあらゆるモダリティの検査に応じて利用される為、どのような条件でシリーズを新規作成し、そのような条件で一般に撮影するモダリティに依存している。本実施形態のデジタル画像収集装置は画像が一枚一枚がシリーズとして管理されることが一般である。
【００６７】
図７は、従来まで一般的であったデジタル画像収集装置によるスタディ属性、シリーズ属性、画像属性の関連を示す図である。
【００６８】
即ち、シリーズ１があって、そこに新たなシリーズが追加された時に、シリーズ属性が同じであったとしても、新たなシリーズとしてシリーズ番号２を振りあて、シリーズを新規生成して、スタディ１２３４に付加させる。この方法によると、全ての撮影画像において、それぞれ画像発生した時にシリーズが新たに割り当てられる。
【００６９】
撮影方法によっては同じ方向から何枚も撮影が行われるケースが有る。例えば、ＩＩ−ＤＲ撮影時の静止画撮影である。この場合は、画像発生枚数が多く、シリーズ画像属性が同じなので、一連の撮影は、スタディ及びシリーズを固定して、シリーズに撮影された画像を追加していくことが可能である。本実施形態では、この様なケースに動的に対応することができる。
【００７０】
以下に、図８を用いて説明を行う。
【００７１】
図８は、本実施形態による画像管理例を示す図である。
【００７２】
まず、スタディが過去のスタディ属性と異なるものとして撮影が行われると、新たなスタディが生成される。ここではスタディ属性が５６７８として生成された。そのスタディにとって初めての画像は、そのスタディが持つものとしては、新規シリーズ、新規画像であるので、スタディにシリーズ番号１なるシリーズが追加され、シリーズ番号１のシリーズに、画像番号１の撮影画像として追加された。なお、図中のＡＡＡＡ，ＯＯＯＯなどのアルファベット４文字のたぐいは、各種属性を模擬的に表現している。
【００７３】
次の撮影において、シリーズ属性が同じ設定のまま、画像が撮影された場合、すなわち、撮影プロトコル、検査部位、視線方向が同じままの設定で撮影が行われた場合は、シリーズ１に対して、画像番号２の撮影画像として追加される。
【００７４】
次の撮影において、例えば、シリーズ属性を一つでも異なるようにして画像が撮影された場合、すなわち、撮影プロトコル、検査部位、視線方向が一つでも異なる設定で撮影が行われた場合は、シリーズ２が新規生成されてスタディ番号５６７８のスタディに追加され、シリーズ２に、画像番号１の新規撮影画像として追加される。
【００７５】
さて、上記３枚の画像撮影が行われた後に、再びシリーズ１の属性にて画像撮影が行われた場合は、本システムでは２つの設定モードにより挙動を変更できることも本実施形態の特徴の１つである。
【００７６】
図９は、モード１の例を示す図である。
【００７７】
このモードは、図のように過去の同じシリーズ属性を持つものを検索し、それが有った場合は、そのシリーズに追加画像として追加する。本実施形態では、シリーズ番号１のシリーズに画像番号３の画像として追加された。
【００７８】
図１０は、モード２の例を示す図である。
【００７９】
このモードは、図のように過去の同じシリーズ属性を持つものは検索せず、新規シリーズを生成して、追加画像として追加する。本実施形態では、シリーズ番号３のシリーズを生成し、画像番号１の画像として追加された。
【００８０】
この様な処理を行うと、一連の、属性の似たものをまとめて管理できる為、画像管理上都合の良いというメリットが有る。
【００８１】
上記実施形態においては、プログラムをＲＯＭに保持する場合について説明したが、これに限定されるものではなく、任意の記憶媒体を用いて実現してもよい。また、同様の動作をする回路で実現してもよい。
【００８２】
なお、本発明は、複数の機器から構成されるシステムに適用しても、１つの機器からなる装置に適用してもよい。前述した実施形態の機能を実現するソフトウエアのプログラムコードを記録した記録媒体を、システム或いは装置に供給し、そのシステム或いは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００８３】
プログラムコードを供給するための記録媒体としては、例えば、フロッピー（登録商標）ディスク、ハードディスク、光ディスク、光磁気ディスク、ＣＤーＲＯＭ、ＣＤーＲ、磁気テープ、不揮発性のメモリカード、ＲＯＭなどを用いることができる。
【００８４】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行ない、その処理によって前述した実施形態の機能が実現される場合も含まれることは言うまでもない。
【００８５】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によって前述した実施形態の機能が実現される場合も含まれることは言うまでもない。
【図面の簡単な説明】
【００８６】
【図１】Ｘ線画像収集装置の構成を示すブロック図である。
【図２】Ｘ線画像収集装置の機能構成図である。
【図３】本発明の実施形態におけるディスプレイ部１１の表示例を示す図である。
【図４】再撮影後のディスプレイ部１１の状態を示す図である。
【図５】Ｘ線画像収集装置の再撮影処理に関連する機能構成図である。
【図６】スタディＩＤ６３、シリーズ番号６２、画像番号６３の各属性を示す図である。
【図７】従来のスタディ属性、シリーズ属性、画像属性の各属性を示す図である。
【図８】本発明の実施形態による画像管理例を示す図である。
【図９】モード１の例を示す図である。
【図１０】モード２の例を示す図である。
【図１１】部位設定ボタン３０９操作による再撮影処理のフローチャートである。
【図１２】再撮影指示が行なわれた場合の再撮影処理のフローチャートである。
【図１３】オーバービュー画像の選択処理に関するフローチャートである。
【符号の説明】
【００８７】
５１  ユーザ入出力部
５２  再撮影指示部
５３  表示部
５４  画像追加部
５５  収集画像再選択部
５６  撮影・システム制御部
【図１】
2006130340.tif 000003
【図２】
2006130340.tif 000004
【図３】
2006130340.tif 000005
【図４】
2006130340.tif 000006
【図５】
2006130340.tif 000007
【図６】
2006130340.tif 000008
【図７】
2006130340.tif 000009
【図８】
2006130340.tif 000010
【図９】
2006130340.tif 000011
【図１０】
2006130340.tif 000012
【図１１】
2006130340.tif 000013
【図１２】
2006130340.tif 000014
【図１３】
2006130340.tif 000015